(57)【要約】【課題】パソコン処理ダイアリーとノート型ダイアリーとの利便性を兼ね備えた、パソコンプリント卓上ダイアリーを提供する。【解決手段】開示されるパソコンプリント卓上ダイアリーは、ノート型卓上ダイアリーであって、見開き両葉の一方のページが写真掲載面１からなるとともに他方のページがダイアリー記載面２からなり、写真掲載面１の綴じ代部に粘着部４を備えて、半透明のパソコンプリント可能な差し込み紙３を、写真掲載面１に重ねて粘着部４によって着脱自在に貼り付けてある。【選択図】      図１
2004202943.tif 000002
【特許請求の範囲】
【請求項１】
ノート型卓上ダイアリーであって、見開き両葉の一方のページが写真掲載面からなるとともに他方のページがダイアリー記載面からなり、前記写真掲載面の綴じ代部に粘着部を備えて、半透明のパソコンプリント可能な差し込み紙を前記写真掲載面に重ねて前記粘着部によって着脱自在に貼り付けてあることを特徴とするパソコンプリント卓上ダイアリー。
【請求項２】
前記粘着部が、強弱両面粘着テープを前記綴じ代部にその一方の面の強粘着面によって貼り付けたときの、他方の面の弱粘着面によって形成されるものであることを特徴とする請求項１記載のパソコンプリント卓上ダイアリー。
【発明の詳細な説明】
【０００１】
【発明の属する技術分野】
この発明は、ノート型卓上ダイアリーにおいてパソコン処理による記録を簡単に保存可能なようにした、パソコンプリント卓上ダイアリーに関する。
【０００２】
【従来の技術】
複数年にわたって使用可能な卓上ダイアリーとしては、ルーズリーフ綴じ込み方式の写真入り複数年ダイアリー等がすでに知られており、多種類のものが商品化されている。これらは、一般にノート型のものであって、手書きによる記録が可能なように、空欄を含めて紙面が構成されているものが多い。
【０００３】
一方、近年におけるパソコンの普及に伴って、ダイアリー，スケジュール帳等は、パソコン上において管理，記録されることが多くなり、従来のノート型卓上ダイアリーは次第に使用されなくなる傾向にある。
これに対して、従来のノート型卓上ダイアリーは、そのままで卓上に長期間保存して、手軽に開いて直ちに利用することができるだけでなく、一見して記録内容の全体を視覚的に検索，把握することが可能であり、さらに、累積記録，追加記録も容易に行える等、種々の有利な面を持っている。また、長期間使用したものは愛着の情が生じて、記念物としての保存価値も生まれるものであり、効率的なパソコン上のダイアリーとは違った意味での存在意義も有している。
【０００４】
【発明が解決しようとする課題】
しかしながら、時代の趨勢として、パソコンの利用は社会生活上も、いまや不可欠のものとなりつつある。そこで、パソコン上のダイアリーの処理能力の高さと、卓上ダイアリーの簡便さとを兼ね備えたものが求められているが、従来、このような要求を可能にするようなダイアリーは市場に存在しないだけでなく、提案されてもいなかった。
【０００５】
この発明は上述の事情に鑑みてなされたものであって、格調高い写真入り単年又は複数年のダイアリーであって、しかもパソコン処理ダイアリーの利便性と、ノート型卓上ダイアリーの利便性との共存，共有を可能にした、パソコンプリント卓上ダイアリーを提供することを目的としている。
【０００６】
【課題を解決するための手段】
上記課題を解決するため、請求項１記載の発明はパソコンプリント卓上ダイアリーに係り、ノート型卓上ダイアリーであって、見開き両葉の一方のページが写真掲載面からなるとともに他方のページがダイアリー記載面からなり、上記写真掲載面の綴じ代部に粘着部を備えて、半透明のパソコンプリント可能な差し込み紙を上記写真掲載面に重ねて上記粘着部によって着脱自在に貼り付けてあることを特徴としている。
【０００７】
また、請求項２記載の発明は、請求項１記載のパソコンプリント卓上ダイアリーに係り、上記粘着部が、強弱両面粘着テープを上記綴じ代部にその一方の面の強粘着面によって貼り付けたときの、他方の面の弱粘着面によって形成されるものであることを特徴としている。
【０００８】
【発明の実施の形態】
この発明のパソコンプリント卓上ダイアリーは、各月分のダイアリーを見開きの両葉によって構成して、一方のページを写真（例えば風景等の癒し系写真）または記録等の印刷面とし、他方のページを１ケ月ごとのダイアリー記載面とするものであり、さらに、片面の写真葉側には、両葉中央の綴じ代部に設けた粘着部に、パソコンプリント用の半透明な差し込み紙が着脱自在に貼り付けられている。
【０００９】
従って、半透明な差し込み紙を通して、印刷されている写真を透視することができるとともに、差し込み紙を取り外して汎用プリンタにセットすることによって、パソコン処理による任意の記録等の印刷を行うことが可能である。なお、プリントによらずに、手書きによって記録を行うことも勿論可能である。
【００１０】
このようにして記録を行った差し込み紙は、再び前述の粘着部に貼り付けておくことによって、簡単に、ダイアリーの一部として保存することができる。このような、差し込み紙の取り外し，取り付けは、随時、何回でも繰り返して行うことができ、従って、同一差し込み紙上に、複数回のプリントを行うことも可能である。
【００１１】
以下、図面を参照して、この発明の実施の形態について説明する。説明は、実施例を用いて具体的に行う。
図１は、本発明の一実施例であるパソコンプリント卓上ダイアリーにおける、見開き面の外観構成を示す図、図２は、本実施例における差し込み紙の印刷レイアウトを示す図、図３は、本実施例における強弱両面粘着テープの構造を示す図である。
【００１２】
この例のパソコンプリント卓上ダイアリーにおける見開き面は、図１に示すように、写真掲載面１と、ダイアリー記載面２と、差し込み紙３と、粘着部４とから概略構成されている。さらに、ダイアリー記載面２には、年度／月表示部５と、ダイアリー記載欄６とが設けられている。また、図１においては、見開き状態のダイアリー側面７が示されている。
【００１３】
図１においては、この例のパソコンプリント卓上ダイアリーにおける、ある月（例えば４月）の見開き面が示されている。
図示のように、左側のページが写真掲載面１であり、右側のページが１ケ月ごとのダイアリー記載面２であって、このような見開き面が単年式のダイアリーの場合は１２面分あり、複数年式のダイアリーの場合は、複数年の月数面分備えられている。
また、ダイアリー記載面２には、上段に当該ページの年度と月を表示印刷した年度／月表示部５部分が設けられているとともに、下段には当該月の日と曜日順にダイアリー記載欄６が３１日分用意されている。
【００１４】
差し込み紙３は、例えば半透明なトレーシング紙からなり、写真掲載面１に重ねられた状態で、写真面を充分透視できるように、その透明度を選択されているとともに、その外形寸法を、写真掲載面１の寸法より内輪に設定することによって、再貼り付け時に、ある程度ラフな貼り付けかたをしても、ダイアリーの側面からはみ出すことがないように考慮されている。
【００１５】
粘着部４は、強弱両面粘着テープの強粘着面を、両葉中央の綴じ合わせ部における、写真葉側の綴じ代部に貼り付けて構成したものであって、例えば約１ｃｍ程度の幅の弱粘着面を形成しており、差し込み紙３の一方の端部をこの部分に貼り付けることによって、差し込み紙３を着脱自在に保持することができるようになっている。この際、粘着部４を構成す粘着剤は粘着力が弱いので、差し込み紙３を取り外しても、差し込み紙３に粘着剤が付着することはなく、従ってプリント時、印刷処理に悪影響を及ぼす恐れがない。
【００１６】
図２においては、この例のパソコンプリント卓上ダイアリーにおいて、差し込み紙３に予め印刷されている記録欄のレイアウトの一例を示し、薄色のカラーで印刷されている、上段の記載欄部８と、下段の注意事項表示部９とが例示されている。
記載欄部８には、記載欄の外枠と、日付と、日付ごとの記録の記載欄が設けられており、注意事項表示部９には、パソコン処理とプリンタ印刷時の注意書き等が、それぞれ印刷表示されている。また貼り付け面１０は、差し込み紙３を粘着部４に装着するとき、その裏面が貼り付けられる部分を示している。
【００１７】
図３においては、強弱両面粘着テープの構成を例示し、（ａ）は平面図、（ｂ）はそのＡ−Ａ断面図を示している。
強弱両面粘着テープ１１は、テープ基材フィルム１２に対して、その一方の面にダイアリー側貼り付け用として強粘着剤を塗布した強粘着面１３を設け、他方の面に、差し込み紙貼り付け用として弱粘着剤を塗布した弱粘着面１４を設けるとともに、弱粘着面１４上に保護剥離紙１５を貼り付けた構造を有し、図１に示された粘着部４に対応する長さと幅に予め切断されているものとする。
【００１８】
強弱両面粘着テープ１１によって、パソコンプリント卓上ダイアリーに粘着部４を形成する場合には、強弱両面粘着テープ１１を写真掲載面１の綴じ代部に位置合わせして、強粘着面１３によって貼り付けたのち、保護剥離紙１５を除去すると、弱粘着面１４によって粘着部４が形成される。
【００１９】
以下、この例のパソコンプリント卓上ダイアリーの使用方法を説明する。
この例のパソコンプリント卓上ダイアリーは、卓上に常備することによって、随時、該当月のページを開いて、日付ごとに、ダイアリー記載欄５に手書きによって所望の記事を記入できることは、通常のノート型卓上ダイアリーと変わらない。
この際、写真掲載面１には、その季節に応じたいろいろの写真が掲載されていて、半透明な差し込み紙３を通してそのままでも見ることができるので、煩瑣な日常業務を一時離れて、眼を楽しませることができる。
【００２０】
パソコン処理を行って作成した種々のデータやメール等の記事であって、心覚えに日常的に検索したいものがあったときは、随時、ダイアリー記載面２と同じ見開きの写真掲載面１上に重ねられている差し込み紙３を、粘着部４から取り外してプリンタにセットし、パソコンからデータ等を読み出して印刷したのち、再び差し込み紙３を粘着部４に貼り付けておけば、手軽にデータを保存して、ダイアリーを開くだけで、いつでも見ることができるようになる。
【００２１】
このような、差し込み紙３の取り外し，取り付けは、粘着部３の弱粘着性に基づいて何回でも繰り返して行うことが可能であり、同一差し込み紙３上に、パソコン処理による任意の複数個のデータを保存することができる。
【００２２】
このように、この例のパソコンプリント卓上ダイアリーは、パソコン処理ダイアリーとノート型卓上ダイアリーとのそれぞれの利便性を兼ね備えたものとして、利用価値の高いダイアリーを実現できるものであり、さらに、これを上質紙を用いて硬質装丁仕上げとすることによって、電子記録時代に対応するとともに記念保存にも適した、格調高い複数年用ダイアリーを提供することが可能なものである。
【００２３】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の差し込み紙３は、半透明紙に限らず、パソコンプリント可能なものであれば、不透明な用紙でもよい。ダイアリー記載面２は、各月ごとに１頁のみに限らず複数頁であってもよい。また、粘着部４は、強弱両面粘着テープによって形成しないで、例えば、弱粘着性の粘着剤を所定幅で綴じ代部に直接塗布して形成してもよい。強弱両面粘着テープ１１は、予め所定長に切断しておく代わりに、巻き取った状態の長尺テープを用いて、写真掲載面１への貼り付けの都度、その長さを粘着部４に合わせて切断するようにしてもよい。
【００２４】
【発明の効果】
以上説明したように、本発明のパソコンプリント卓上ダイアリーによれば、ノート型卓上ダイアリーの、見開き両葉の一方にある写真掲載面の綴じ代部に粘着部を設けて、半透明なパソコンプリント可能な差し込み紙を写真掲載面に重ねて粘着部に着脱自在に貼り付けられるように構成したので、パソコン処理ダイアリーとノート型卓上ダイアリーとのそれぞれの利便性を兼ね備えたダイアリーを提供することが可能になる。
【図面の簡単な説明】
【図１】本発明の一実施例であるパソコンプリント卓上ダイアリーにおける、見開き面の外観構成を示す図である。
【図２】同実施例における、差し込み紙の印刷レイアウトを例示する図である。
【図３】同実施例における強弱両面粘着テープの構造を示す図である。
【符号の説明】
１      写真掲載面
２      ダイアリー記載面
３      差し込み紙
４      粘着部
５      年度／月表示部
６      ダイアリー記載欄
７      ダイアリー側面
８      記載欄部
９      注意事項表示部
１０      貼り付け面
１１      強弱両面粘着テープ
１２      テープ基材フィルム
１３      強粘着面
１４      弱粘着面
１５      保護剥離紙
【図１】
2004202943.tif 000003
【図２】
2004202943.tif 000004
【図３】
2004202943.tif 000005